(57)【要約】      （修正有）【課題】土壌分解が可能な成形体に接合する発芽地であり、植物が該成形体の切り込みとパルプシート層を貫通するよう成形され、消費者に成形体を廃棄させずに自然に還元させるための人工発芽地を備えた成形体およびその利用による自然環境の生産方法を提供する。【解決手段】土壌に還元できる生分解性素材の成形体４に糊化澱粉２で接合する発芽地であり、発芽地は上面６と下面９を貫いた成形体４の切り込み５を塞ぐように植物の種子、糊化澱粉２、パルプシート層３で成形し、注水によりこれら発芽地をはじめ成形体４が保水され、軟化したパルプシート層３を植物の芽７が破けるよう、また、切り込み５の片が撓んで植物の根８が貫通できるよう成形され、人に成形体４の栽培としての有益性を認識させ、廃棄せずに土壌面１０に還元し自然を創出させる人工発芽地を備えた成形体４およびその利用による自然環境の生産方法。【選択図】図１
2020000215.tif 000002
【特許請求の範囲】
【請求項１】
成形体に接合される発芽地であり、該発芽地は成形体の切り込み上に糊化澱粉の乾燥で接着し、植物の種子および該糊化澱粉とそれを覆うパルプシート層で成形され、また、注水によりこれら発芽地をはじめ接合する成形体が湿潤し保水されることで、軟化したパルプシート層の断面を植物の芽の力で破けるよう成形されることを特徴とした、人工発芽地を備えた成形体およびその利用による自然環境の生産方法。
【請求項２】
前記成形体は土壌に自然還元できる生分解性素材であり、該成形体の上面と下面を貫いた切り込みで植物を生育させるため、上面の切り込み口を塞ぐように前記発芽地を貼付でき、また、吸水により該切り込みの片が撓んで隙間を植物の根の力で貫通できるよう形成された成形体であることを特徴とした請求項１に記載の人工発芽地を備えた成形体およびその利用による自然環境の生産方法。
【請求項３】
消費者によって使用後に廃棄されると予見できる生分解性素材の成形体に、あらかじめ前記発芽地と前記切り込みを設けることで、消費者に当該成形体をゴミとして廃棄せずに容易に植物の栽培として活用ができることを認識させ、また、環境保全に有益であることを覚えさせ、ゴミとして廃棄せずに土壌面に還元するだけで自然を創出させる方法を特徴とした前記請求項１、２に記載の人工発芽地を備えた成形体およびその利用による自然環境の生産方法。
【発明の詳細な説明】
【技術分野】
【０００１】本発明は、人に土壌に分解できる素材の成形体を廃棄させずに自然環境を生産させることを目的とした、当該成形体内に設けた植物の人口発芽地の利用により、消費者に植物の栽培として活用する有益性を認識させ、当該成形体を土壌に還元することでゴミの排出を削減し自然を創出させるための、人工発芽地を備えた成形体およびその利用による自然環境の生産方法に関するものである。
【背景技術】
【０００２】家庭ゴミとして焼却される物のほぼ全てが人工成形物であり、それを製造するメーカー側も、ゴミの削減の観点から成形体を小さくしたり素材を変えたりと様々な努力をしている一方で、それを利用する消費者側が現状においてできるのはせいぜいゴミの分別程度であり、消費者が環境保全のためにゴミを減らし、自然を生産できるような根本的な手段は未だに確立できていない。
【先行技術文献】
【特許文献】
【０００３】
【特許文献１】特開平１１−１８５１１号公報
【特許文献２】特開２００４−４２号公報
【特許文献３】特開２０１１−０１９４４５号公報
【特許文献４】特開２０１４−１３２８９５号公報
【発明の概要】
【発明が解決しようとする課題】
【０００４】これまでに、植物の種子や発芽地が設けられた紙シートや紙容器などの緑化推進商品などが存在するが、非常に販売数に乏しく、種類もなく、また高価であることから、なかなか普段の消費生活の中には浸透されておらず、その存在すら分からないのが現状である。【０００５】その理由として、紙や容器といった成形体に植物の栽培の機能を備えた製品には、成形上その素材や形が限定されてしまい、また、容易に製造できないため、安価に量産できるような仕組みのものが存在していないからである。【０００６】ゆえに、実際に消費者が手に取る機会がなく、その成形体を活用し、かつ、該成形体に備わった植物の栽培を楽しみながら、廃棄時には自然環境へ還元が図れるようなシステムは未だに顕在化されていない。【０００７】消費者によるリサイクル活動も、結局はリサイクルできる種類やその利用者も限定的であり、不要になったものはゴミとして廃棄するという従来からの定義が消費者に常態化しているのが現状である。【０００８】近年は、廃棄ゴミを再生させるリサイクル事業が普及されてきたものの、一般的には専門業者に委ねているのが現状で、消費者自らがゴミに手を加えて再生させるのは現実的に困難である。【０００９】消費者の家庭内におけるゴミの分別は、回収業者および処理業者による分別作業の軽減や、焼却ゴミの削減に大きな貢献をしているが、ゴミそのものの量は決して減っていないのが現状である。【００１０】そもそも消費者や成形物の生産者に対し、植物の栽培によって廃棄物を再利用することが、ゴミの削減につながり環境保全にも貢献できることを訴える手段は全く存在していない。【００１１】本発明は、人による環境破壊を抑制するため、人に土壌に分解できる素材の成形体を廃棄させずに自然環境を生産させることを目的とした、当該成形体内に設ける植物の発芽地に関することと、当該発芽地を備えた成形体をゴミとして廃棄するよりも植物の栽培として活用する方が有益であることを消費者に認識させ、当該成形体を土壌に還元し自然を創出させるための、人工発芽地を備えた成形体およびその利用による自然環境の生産方法を提供するものである。
【課題を解決するための手段】
【００１２】この目的を達成するため請求項１では、成形体に接合される発芽地であり、該発芽地は成形体の切り込み上に糊化澱粉の乾燥で接着し、植物の種子および糊化澱粉とそれを覆う天然のパルプシート層で成形され、また、注水によりこれら発芽地をはじめ接合する成形体が湿潤し保水されることで、軟化したパルプシート層の断面を植物の芽の力で破けるよう成形されることを特徴とした。【００１３】また、請求項２では、前記成形体は土壌に自然還元できる生分解性素材であり、該成形体の上面と下面を貫いた切り込みで植物を生育させるため、上面の切り込み口を塞ぐように前記発芽地を貼付でき、また、吸水により該切り込みの片が撓んで隙間を植物の根の力で貫通できるよう形成された成形体であることを特徴とした。【００１４】また、請求項３では、消費者によって使用後に廃棄されると予見できる生分解性素材の成形体に、あらかじめ前記発芽地と前記切り込みを設けることで、消費者に当該成形体を廃棄せずに容易に植物の栽培として活用ができることを認識させ、また、環境保全に有益であることを覚えさせ、ゴミとして廃棄せずに土壌面に還元するだけで自然を創出させる方法に関するものである。
【発明の効果】
【００１５】成形体の切り込み口に接合する発芽地は、糊化澱粉の乾燥で固形化し成形されているため、植物の種子および該種子を覆う天然のパルプシート層は接着され、切り込み口から剥離することはなく消費者は安心して成形体を利用できる。【００１６】また、発芽地は前記パルプシート層に覆われ外部と遮断されることで、該発芽地が外部に露出することなく、かつ、利用者も発芽地に触れることなく成形体の活用と発芽地への注水が図れる。【００１７】また、前記発芽地は乾燥した糊化澱粉で構成されるため注水によって再び糊化し、発芽地に固着した種子へと水分が供給され、さらに、接合し種子を覆うパルプシート層での保水効果により発芽地を乾燥しにくくし栽培機能を損ねることはない。【００１８】また、種子を前記天然パルプシートで覆う程度の小さな発芽地ゆえに、土壌に還元できる素材の成形体であるならば、切り込みを入れて接合するだけで容易に製造が図れコストも低く、市場において広く普及させることができる。【００１９】さらに、取扱いが極めて簡単なため、消費者に負担をかけずにゴミの廃棄の替わりに植物の栽培を促すことができ、自身でゴミを減らし環境保全に貢献できるという意識を容易に啓発させる手段にもなる。【００２０】これらのことは、ゴミの回収や分別作業の軽減および焼却ゴミの削減に大きく貢献し、発芽地を備えた成形体をゴミとして廃棄するよりも植物栽培として活用する方が有益であることを消費者に認識させ、不要になったものは廃棄するというこれまでの常識を覆し、消費者に当該成形体を土壌に還元させ、ゴミの排出を削減させて環境保全に努めさせる方法となる。
【図面の簡単な説明】
【００２１】
【図１】本発明の人工発芽地を備えた成形体およびその利用による自然環境の生産方法の使用状態を示す断面図である。
【図２】本発明の使用状態の斜視図である。
【図３】本発明の他の使用状態の断面図である。
【図４】本発明の他の使用状態の斜視図である。
【図５】本発明の他の使用例および使用状態の斜視図である。
【図６】本発明の他の使用例および使用状態の斜視図である。
【発明を実施するための形態】
【００２２】本発明は説明上、発芽地および成形体において植物の芽が伸長する方向の面を上面と、植物の根が伸長する方向の面を下面と称しているが、一例として成形体本体の上面、下面の構造が同一でなくても支障はなく、また、幅、奥行、厚さの数値を記しているが、これらの範囲に限定されないものと定義づけ、図面に基づいて詳細に説明すると、図１〜図４に示されている４は成形体の本体の一部分を指し、自然界で分解する植物繊維や生分解性などの素材からなり、一例として幅１００ｍｍ、奥行１００ｍｍ、厚さ３ｍｍの範囲が示されている。
【００２３】また、成形体４には発芽地からの植物が生育できるように、図３、図４が示すよう該成形体４の上面６と相対する下面９を貫くように設けた切り込み５を１箇所以上、一例で長さ３０ｍｍの直線を中心点で二本交差させるように切れ目を設けることで切れ目に接する片いわゆる切り抜き片を撓ませて隙間が生じるように形成し、切り込み５の上面６から下面９へと植物の根８が貫通できるように、かつ、排水ができるように形成される。
【００２４】また、図４に示すように前記成形体４に接合する発芽地は、該成形体４の上面６の切り込み５の交差中心点から一例として半径３０ｍｍの円形の面積を有し、切り込み５を完全に塞ぐように展開し、発芽地を構成する糊化澱粉２を同範囲に一例で厚さ１ｍｍで形成し、その中心である該切り込み５の交差中心点付近に植物の種子１を該糊化澱粉２の乾燥により好ましくは１粒から５粒程度を接着させ配置している。
【００２５】さらに、前記発芽地の乾燥した糊化澱粉２は固形化することで切り込み５から下面９への発芽地の流出を防ぐように成形され、その一方で注水および浸水により再び糊化し、該発芽地を保水するよう成形されると共に発芽地に固着した種子１へと水分を浸透させ発芽を促すように成形される。
【００２６】また、図３に示すように前記糊化澱粉２と上下同範囲の望ましくはそれ以上の面積を覆うように天然のパルプシート層３を一例として厚さ２ｍｍで形成し、該パルプシート層３は発芽地の中心に配置された種子１を含め発芽地全体を保湿するよう、かつ、外部に流出しないために外部と遮断するように被膜し、糊化澱粉２の表面に一例で約１ｍｍの厚さで糊化の水分により浸透するよう接着され、乾燥後も上部に柔軟性をある程度保持して成形される。
【００２７】また、図１、２に示すように前記パルプシート層３は、外部からの注水および浸水による湿潤によって軟化し、かつ、内包する発芽地から育成する植物の芽７が上方に伸長し押圧する力も加わり、破けて植物の芽７が貫通できるよう成形される。
【００２８】また、発芽地が保水されることで接合する成形体４の切り込み５の断面および上面６および下面９も湿潤化し、切れ目に接する片の柔軟性が増して撓みが増幅し、かつ、植物の根８が下方に伸長し押圧する力も加わり、切り込み５の隙間を貫通し土壌面１０に到達しやすいように成形される。
【００２９】また、成形体４およびパルプシート層３の素材には土壌に還元しやすいものを使用し、自然界で分解する植物繊維や生分解性素材などが望ましく、天然物系では例えばキトサンや澱粉など、好ましくはセルロースなどの原料を使用し、化学合成系では、例えばポリ乳酸やバイオポリエステルなどの原料から成形させるのが好ましく、また、成形体４の構造自体も土壌に分解されやすいように、例えば上面６から下面９に至る厚さを薄くし、かつ、本体が安易に解体できるよう切り込み線などを要所に入れ、土壌面１０に平面化しやすく形成するのが望ましい。
【実施例】
【００３０】このように発芽地が備わる成形体４の使用に際しては、図１、図２に示すように、成形体４の上面６に接合する発芽地を覆うパルプシート層３に注水することで、乾燥した発芽地内の糊化澱粉２が湿潤され、あるいは、該成形体４の下面９を浸水させることで切り込み５の断面に水が浸透し、同じく該成形体４の上面６に展開する発芽地内の糊化澱粉２が湿潤し、発芽地内の種子１に水が浸透し発芽が促進されるようになる。【００３１】また、前記パルプシート層３への注水、あるいは前記成形体４の下面９への浸水を継続することで、発芽地を含むパルプシート層３および成形体４の切り込み５の断面等が保水され、湿潤し緩くなったパルプシート層３の断面が裂けやすくなり、同じく湿潤し撓み易くなった切り込み５の切れ目片の隙間が開きやすくなり、植物の芽７および根８の各々が生長する際の通り道を確保できるようになる。。【００３２】次に、図１に示すように、水の供給により発芽し伸長した植物の芽７が内側から天然パルプシート層３を押圧して破き、成形体４の上方へ自然に生育し、また、同様に植物の根８が切り込み５の片を押圧して隙間を貫き、伸長した根８は該成形体４の下方へと自然に生育を促進させ、根８は成形体４の下面９を土壌面１０に設置させることにより土壌内部へと伸長され、土壌内の水分や養分を吸収することで、植物の本来の環境での生育を促進させることができる。【００３３】その後、芽７が茎となり、根８が土壌内に根を張り巡らせて生育が調った場合、発芽地に接合する成形体４は不要となるが、本体を廃棄物として処分する必要はなく、図７に示すように容器型の成形体４を使用例とした場合においても、そのまま土壌面１０に残して栽培を継続し、一定期間を経て自然分解し土壌に還元させることができる。【００３４】尚、上述の実施例で植物の伸長が促進しある程度生育を遂げた後は、水を注入あるいは水を浸透させる作業を人為的ではなく自然界の降雨による実施も可能であり、例えば庭地や原野の土壌面１０に配置して実施してもよい。【００３５】また、図１、図２に示すように、例えば成形体４が厚さ３ｍｍ以下の段ボール紙であり、その断面に長さ３０ｍｍの直線の十文字の切り込み５を備え、また該切り込み５の上下同位置の上面６に貼付し接合する発芽地の糊化澱粉２およびパルプシート層３の面積が各々一例で２８．２ｃｍ２の規模で展開され、また、該パルプシート層３の断面の厚さが一例で０．２ｍｍ〜２ｍｍであり、さらに切り込み５の中心に配置する植物の種子１をエンドウ豆２粒で実施し、当該成形体４を土壌面１０に設置した場合、発芽地に局所的に要する注水量は、一例としてペットボトルのキャップで約３杯分の２０〜２５ｃｃを一日一回以上の割合で補給し発芽させるのが好ましく、発芽までに要する期間は概ね５日〜１５日間程度である。【００３６】また、上述の実施例を、家庭ゴミの問題で課題となっている包装用容器に当てはめるのが望ましく、例えば植物由来の天然パルプ製のコートボール紙やセルロース樹脂等からなる成形体４に備えてもよく、図５に示すように、一例として一般的な贈答用などの化粧箱の蓋体１１、中敷１２、本体底面１３を梱包時に重ねた場合の上下同位置の各々の断面に切り込み５を設け、該蓋体１１の内面の切り込み５に上述の発芽地を貼付した場合、消費者に箱を捨てさせずに蓋体１１を裏返して本体底面１３の下に勘合させるだけで、発芽地のパルプシート層３の上部を中敷１２と本体底面１３が二重に覆うことになり、外部との遮断性が強化され、注水後の発芽地の保水効果が増すことで植物の芽７や根８の生育が一層促されるようになる。【００３７】さらに、図６に示すように、一例として上述の包装容器での実施例を、弁当容器などの蓋体１１と本体底面１３が繋がり一体型となっている容器に当てはめた場合は、同じく容器の蓋体１１、本体底面１３が施蓋時に上下同一位置となるよう各々の断面に切り込み５を設け、該蓋体１１の内面の切り込み５に同じく発芽地を接着した場合、消費者に使用済みの箱を捨てさせずに再度施蓋させ、本体を裏返して本体底面１３の切り込み５を開放させ、そのまま土壌面に設置し注水を継続すれば上述同様に栽培が可能となる。【００３８】ゆえに、実施の際の消費者の負担は、従来の家庭内における成形容器を平らに解体し、ゴミ袋に分別し、ゴミ集積所に運搬して廃棄するといったプロセスから、原形のまま土の上に置き、注水を施すといった形式に入れ替わることで軽減が図れ、また、生産者側の成形の際に加わる作業や費用などの負担も軽微であるがゆえに、市場に出ている自然還元できるあらゆる成形体４に容易に備えることができ、また、備わることで廃棄物になるはずのものが発芽機能が備わった成形物に代わり、廃棄物が減り、ゴミ分別時の作業の緊縮や焼却ゴミの削減に大きく貢献することとなる。【００３９】また、消費者に対し、人口の成形物を廃棄し焼却する行為がＣＯ２を拡大し地球温暖化を助長させているといった問題意識を植え付け、その一方で、不要になった成形物を再活用することで環境保全に貢献できるといった有益性を覚えさせることにより、ゴミを廃棄するよりも自然を創出する方が有効であることを消費者に認識させ、当該成形体４を土壌面１０に設置しゴミの排出を削減し、自然環境を生産させる方法となる。
【符号の説明】
【００４０】１    種子
２    糊化澱粉
３    パルプシート層
４    成形体
５    切り込み
６    上面
７    植物の芽
８    植物の根
９    下面
１０  土壌面
１１  蓋体
１２  中敷
１３  本体底面
【図１】
2020000215.tif 000003
【図２】
2020000215.tif 000004
【図３】
2020000215.tif 000005
【図４】
2020000215.tif 000006
【図５】
2020000215.tif 000007
【図６】
2020000215.tif 000008
【図７】
2020000215.tif 000009
【手続補正書】
【提出日】平成30年9月12日(2018.9.12)
【手続補正１】
【補正対象書類名】明細書
【補正対象項目名】００２１
【補正方法】変更
【補正の内容】
【００２１】
【図１】本発明の人口発芽地を備えた成形体およびその利用による自然環境の生産方法の使用状態を示す断面図である。
【図２】本発明の使用状態の斜視図である。
【図３】本発明の他の使用状態の断面図である。
【図４】本発明の他の使用状態の斜視図である。
【図５】本発明の具体的な使用例および使用状態の斜視図である。
【図６】本発明のその他の具体的な使用例および使用状態の斜視図である。
【図７】上記図６の注水実施後の使用状態の斜視図である。